(57)【要約】　　　（修正有）【課題】遠赤外線放射セラミックスより放射する波長エネルギーを酸化した水等に吸収させて、酸化した水を還元し、活性化し、イオン化して害の無い水和性に富んだ飲料水等の浄水や練水にさせることや、天ぷら等の揚げ物や煮物等は中心部まで早く熱を通し、仕上がりが良くなり、美味しくできるドーナツ形リングの遠赤外線放射セラミックスを提供する。【解決手段】遠赤外線放射セラミックス材を適度に配合して、ドーナツ形リング１を形成し、中心に孔２を設ける。そのリング本体１の表面側３と裏面側の一方、又は、両方に適当な大きさの突起５を各々数個設ける。又、図柄６模様を表面側３と裏面側の一方、又は、両方に浮き彫り、又は、堀り込んで設けたことを特徴とする。【選択図】図１
0003099482.tif 000002
【実用新案登録請求の範囲】
【請求項１】
遠赤外線放射セラミックス材を適度に配合して、ドーナツ形リング本体（１）を形成し、中心に孔（２）を設ける。そのリング本体（１）の表面側（３）と裏面側（４）の一方、又は、両方に適当な大きさの突起（５）を数個設たことを特徴とした、ドーナツ形リングの遠赤外線放射セラミックス。
【請求項２】
リング本体（１）の表面側（３）と裏面側（４）の一方、又は両方に多種多様な図柄（６）を設けた請求項１のドーナツ形リングの遠赤外線放射セラミックス。
【請求項３】
リング本体（１）の形状を、花弁形、魚形、動物形、その他種々な形状とし、中心に孔（２）を設けた請求項１のドーナツ形リングの遠赤外線放射セラミックス。
【考案の詳細な説明】
【０００１】
【考案の属する技術分野】
この考案は、遠赤外線放射セラミックスより放射する波長エネルギーは有機物には強力な反応をする。その波長エネルギーを吸収させて、酸化した水を還元し、活性化し、イオン化して害の無い水和性に富んだ飲料水等の浄水や練水と変化させる。又、天ぷら等の揚げ物や煮物等は中心部まで早く熱を通し、仕上がりが良くなり、美味しくできるドーナツ形リングの遠赤外線放射セラミックスに関するものである。
【０００２】
【従来の技術】
従来、浄水、水飯、天ぷら等の揚げ物用で、図５に示すようなボール形や図６に示すような平円形（メタルとも云う）の遠赤外線応用器具（１０）があった。
【０００３】
【考案が解決しようとする課題】
これには次のような欠点があった。
（イ）図５に示すボール形の遠赤外線応用器具（１０）は、丸く安定せず、ゴロゴロと容器内を動き回って雑音を発生した。又、取り出しする時は、ボール形のために熱せられたボールはつまみにくく取り出しに手間がかかる欠点があった。
（ロ）図６に示す平円形の遠赤外線応用器具（１０）は、容器の底面に密着して、水流、熱流の交代や交流が悪くなる欠点があった。
したがって、いずれの場合も遠赤外線応用器具は、遠赤赤外線放射セラミックスより放射する波長エネルギーの効率が悪く、効果も少なくなる欠点があった。
【０００４】
【課題を解決するための手段】
遠赤外線放射セラミックス材を適度に配合して、ドーナツ形リング（１）を形成し、中心に孔（２）を設ける。そのリング本体（１）の表面側（３）と裏面側（４）の一方、又は、両方に適当な大きさの突起（５）を各々３個、又は、各々数個設ける。
本考案は、以上のように構成する。
【０００５】
【考案の実施の形態】
以下、本考案の実施の形態を説明する。
（イ）図柄（６）は表面側（３）と裏面側（４）の一方、又は、両方に浮き彫り、又は、堀り込んで設ける。
（ロ）リング本体（１）の形状を花弁形、魚形、動物形、その他種々な形状とし、中心、又は、適所に孔（２）を設けることもできる。
本考案は、以上のような構成より成っている。
これを使用する時は、図３、図４に示すように、鍋（７）やヤカン（８）等の容器の底部（９）にリング本体（１）を置くと、突起（５）が足となり、リング本体（１）は底部（９）に密着することがなく安定して置いて使用できる。
又、リング本体（１）はドーナツ形としたので中心に孔（２）があり、又、リング本体（１）の下は中空となり、使用中は、水流、熱流の交代、交流はリング本体（１）の内外周の面積が多くなり、交代、交流の効果を倍増させる作用がある。又、天ぷら等の揚げ物や煮込みもので料理の後で、リング本体（１）が熱い内でもリング本体（１）はドーナツ形とし、中心に孔（２）が設けてあるので、取出しは箸でつまんだり、引掛けたりし容易に取出しができる。
又、図柄（６）を表面側（３）と裏面側（４）の両方に設けておくと、表と裏の使い分けが不要となり、さらに使いやすくなる。
次に、遠赤外線放射セラミックスの浄水作用等の使用例を説明する。
浄水に使用した一例として、容器に約１ｌの水を入れ、その中に遠赤外線放射セラミックスのリング本体（１）を投入し、約２０分から３０分すると、遠赤外線の吸収波長エネルギーで活性化、イオン化して美味しい浄水となる。
練水に使用した一例として、ヤカン等に約１ｌの水を入れ、その中に遠赤外線放射セラミックスのリング本体（１）を入れて沸騰させる。その湯をさまし、ビン等に入れ替えて冷蔵庫で冷やすと安心して飲める水和性に富んだ冷水となる。したがって、浄水、練水とした水を沸騰して、お茶、コーヒー等を飲むと風味、旨味を楽しめる。
天ぷら等に使用した一例として、揚げ油約１ｌの中に遠赤外線放射セラミックスのリング本体（１）を入れて揚げ物を揚げると、油の跳びはねが少なくなり、仕上がりが早く、揚げた後が残らなく、いつまでもカリカリとして油がにじまない。冷凍物でも身割れが少なく仕上がり、でき見栄えがよい。又、揚げ油の酸化が少なくして、くり返し何回でも使用できて長く使えるので経済効果が大きい。
【０００６】
【考案の効果】
（イ）リング本体はドーナツ形とし、突起を設けたので、鍋やヤカン等の底部に安定して置くことができる。
（ロ）リング本体の中心に孔が設けてあり、又、突起の高さの適度の間隔を保っており、水流熱流の交代、交流を良くし、遠赤外線放射セラミックスの放射波長エネルギーの効果を充分に発揮させることができる。
（ハ）リング本体はドーナツ形としたので、取り出しが容易である。
（ニ）図柄模様を浮彫り、又は、堀込んで設けたことで見た目にも美しく、商品価値が向上する。
（ホ）形状がシンプルであり、使いやすく、又、量産が可能である。
（ヘ）遠赤外線放射セラミックスの波長エネルギーを効率よく吸収させて酸化した水を活性化、イオン化して美味しい浄水とすることができる。又、水和性に富んだ練水とすることもできる。
（ト）天ぷら等の揚げ物においては、油の跳びはねが少なくなり、仕上がりが早く揚げた後が残らなく、いつまでもカリカリとして油がにじまなく美味しい揚げ物となる。
【図面の簡単な説明】
【図１】本考案全体平面図
【図２】本考案の図１中Ａ−Ａ矢視の断面図
【図３】本考案の一実施例を示すもので、鍋に入れて使用した使用例を縮小断面図で示す。鍋は想像線で示す
【図４】本考案の一実施例を示すもので、ヤカンに入れて使用した使用例を縮小断面図で示す。ヤカンは想像線で示す
【図５】従来の一実施例を示すもので、ボール形の遠赤外線応用器具の平面図
【図６】従来の一実施例を示すもので、平円形の遠赤外線応用器具の斜面図
【符号の説明】
１　　リング本体
２　　孔
３　　表面側
４　　裏面側
５　　突起
６　　図柄
７　　鍋
８　　ヤカン
９　　底部
１０　遠赤外線応用器具
【図１】
0003099482.tif 000003
【図２】
0003099482.tif 000004
【図３】
0003099482.tif 000005
【図４】
0003099482.tif 000006
【図５】
0003099482.tif 000007
【図６】
0003099482.tif 000008
【手続補正書】
【提出日】平成15年8月22日(2003.8.22)
【手続補正１】
【補正対象書類名】明細書
【補正対象項目名】実用新案登録請求の範囲
【補正方法】変更
【補正の内容】
【実用新案登録請求の範囲】
【請求項１】
遠赤外線放射セラミックス材において、
（１）　ドーナツ形のリング本体（１）を形成し、中心に孔（２）を設ける。
（２）　そのリング本体（１）の表面側（３）と裏面側（４）の一方、又は、両方に適当な大きさの突起（５）を数個設ける。
以上からなるドーナツ形リングの遠赤外線放射セラミックス。